(57)【要約】【課題】  個々の部材をリンクさせる必要性をなくして手間とコストを削減する。【解決手段】  車体本体とスライドドアとの間にフレキシブルフラットケーブル（ＦＦＣ）２を配索し、このＦＦＣ２が挿入される通路空間３が形成されたケーブルプロテクタ１を複数個ＦＦＣ２に並べて嵌め込み、このケーブルプロテクタ１の通路空間３のケーブル屈曲時の内面側に当る面を曲面３Ａに形成し、ケーブルプロテクタ１のケーブル屈曲時の内面側両側に内側に向うテーパ状の傾斜部３Ｂを形成し、ケーブル屈曲時に隣り合うケーブルプロテクタ１の傾斜部３Ｂ同士が当接してケーブルの屈曲に複数のケーブルプロテクタ１も倣うようにした。【選択図】  図２
2006240484.tif 000002
【特許請求の範囲】
【請求項１】
車体本体とスライドドアとの間にフレキシブルフラットケーブルを配索し、
このフレキシブルフラットケーブルが挿入される通路空間が形成されたケーブルプロテクタを複数個当該ケーブルに並べて嵌め込み、
このケーブルプロテクタの通路空間のケーブル屈曲時の内面側に当る面を曲面に形成し、
前記ケーブルプロテクタのケーブル屈曲時の内面側両側に内側に向うテーパ状の傾斜部を形成し、
ケーブル屈曲時に隣り合うケーブルプロテクタの傾斜部同士が当接してケーブルの屈曲に複数のケーブルプロテクタも倣うようにしたことを特徴とするスライドドア給電装置。
【請求項２】
前記ケーブルプロテクタのケーブル屈曲時の外面側両側をケーブル伸長時にケーブルに直角となるようにしたことを特徴とする請求項１に記載のスライドドア給電装置。
【請求項３】
前記ケーブルプロテクタの中央部分に表裏に貫通する窓を形成したことを特徴とする請求項１又は２に記載のスライドドア給電装置。
【請求項４】
前記通路空間を仕切壁を設けることにより複数形成し、夫々の仕切壁にも曲面を形成したことを特徴とする請求項１ないし３のいずれか１項に記載のスライドドア給電装置。
【発明の詳細な説明】
【技術分野】
【０００１】
本発明は、車体本体側からスライドドアへ給電のためのケーブルを配索したスライドドア給電装置に関する。
【背景技術】
【０００２】
この種の従来技術としては、例えばスライドドア側と、車体本体側とに突き当て式の端子部を設け、スライドドアが閉鎖された際に、ドア側の端子部と車体本体側の端子部とが突き当たって電気接続され、その両端子部を介して車体本体側からドア側に給電等を行うようにしたものがある。しかしながら、このような構造のものでは、スライドドアが閉鎖されているときにはスライドドアへの給電が可能であるが、スライドドアが開放されている状態では給電ができないという問題がある。
【０００３】
そこで、スライドドアと車体本体との間にケーブルを配索すると共に、該ケーブルをケーブルガイド内に挿入配置したものが提案された。この場合、ケーブルガイドが車体本体側の部材に干渉しないように工夫する必要があった。このような必要を満たしたものとしては、車体本体とスライドドアとの間に配索されるケーブルと、線状に連結された複数のリンク部材によって構成され、前記ケーブルを案内するケーブルガイドと、前記車体本体側に設けられ、前記スライドドアのスライド移動方向に対して非平行でかつ前記スライドドア側に向けて指向するように前記ケーブルガイドの一端部を支持する第１支持部材と、前記スライドドア側に設けられ、前記ケーブルガイドの他端部を支持し、前記スライドドアのスライド移動に伴って前記第１支持部材の側方をすれ違うように移動する第２支持部材とを備えたものが開発された。
そして、ケーブルガイドは車体本体側に第１の区間を備えると共に、スライドドア側に第２の区間を備えており、第１の区間は、略直線状態から双方向へ屈曲可能に構成されており、ケーブルガイドは、スライドドアのスライド移動に応じて、車体本体側から離間するように延出しつつ第１の区間で屈曲することで、第２支持部材に向けて延びるように配設されているものである（特許文献１参照）。
【特許文献１】特開２００４−２５９９９号公報（第４，５頁、図４）
【発明の開示】
【発明が解決しようとする課題】
【０００４】
従来例では、リンク部材をリンクすることによってケーブルガイドを構成してあるため、製造工程において、リンク部材をリンクさせる工程が不可欠であり、手間とコストがかかっていた。
【０００５】
そこで、本発明は、個々の部材をリンクさせる必要性をなくして手間とコストを削減し、ケーブルが車体本体側の部材に干渉するのを防止したケーブルプロテクタを備えたスライドドア給電装置を提供することを目的とする。
【課題を解決するための手段】
【０００６】
上述の目的を達成するため、本発明は、車体本体とスライドドアとの間にフレキシブルフラットケーブル（ＦＦＣ）を配索し、このＦＦＣが挿入される通路空間が形成されたケーブルプロテクタを複数個ＦＦＣに並べて嵌め込み、このケーブルプロテクタの通路空間のケーブル屈曲時の内面側に当る面を曲面に形成し、前記ケーブルプロテクタのケーブル屈曲時の内面側両側に内側に向うテーパ状の傾斜部を形成し、ケーブル屈曲時に隣り合うケーブルプロテクタの傾斜部同士が当接してケーブルの屈曲に複数のケーブルプロテクタも倣うようにしたものである。
【発明の効果】
【０００７】
本発明によれば、車体本体とスライドドアとの間にフレキシブルフラットケーブル（ＦＦＣ）を配索し、このＦＦＣが挿入される通路空間が形成されたケーブルプロテクタを複数個ＦＦＣに並べて嵌め込み、このケーブルプロテクタの通路空間のケーブル屈曲時の内面側に当る面を曲面に形成し、前記ケーブルプロテクタのケーブル屈曲時の内面側両側に内側に向うテーパ状の傾斜部を形成し、ケーブル屈曲時に隣り合うケーブルプロテクタの傾斜部同士が当接してケーブルの屈曲に複数のケーブルプロテクタも倣うようにしたので、ケーブルはケーブルプロテクタの曲面と傾斜部により屈曲を制御され、車体本体側の部材に干渉せず、かつ複数のケーブルプロテクタ同士を連結させる必要もないので、コストダウンを図ることができる。また、ケーブルプロテクタは、上述したような構成であり、これらの通路空間にケーブルを挿入するだけで、線状に連結されず、並んだ状態のままで、ケーブルの屈曲に倣い、かつ曲面並びに傾斜部を所定の形状に形成することにより、ケーブルは常に同一半径で屈曲することとなる。ケーブルプロテクタのケーブル屈曲時の外面側両側をケーブル伸長時にケーブルに直角となるようにしたものでは、ケーブルは外面側へは屈曲せず、スライドドアの開閉に伴って常に一定の屈曲を行うこととなり、耐久性も向上する。さらに、ケーブルプロテクタの中央部分に表裏に貫通する窓を形成したものでは、ＦＦＣに通電した時に発生する熱の放熱性の向上、また、ケーブルプロテクタの軽量化という機能を有している。さらにまた、通路空間を仕切壁を設けることにより複数形成し、夫々の仕切壁にも曲面を形成したものでは、ＦＦＣ同士が接触せず、放熱面積も広いので、放熱効果が大きく、許容電流値を上げることができる。
【発明を実施するための最良の形態】
【０００８】
以下に、本発明の実施形態を図面を参照にして説明する。
【０００９】
図１に示す実施形態では、一端側には図示しない車体本体側に接続される第１接続部１Ａを有し、他端側には図示しないスライドドアに配索される第２接続部１Ｂとを有し、これら第１接続部１Ａ及び第２接続部１Ｂとの間には複数のケーブルプロテクタ１を有し、従来のケーブルガイドに相当する部材を構成してある。スライドドアに対しては、ケーブル固定部１Ｃでケーブルを固定する。図２は第１接続部１Ａと複数のケーブルプロテクタ１を外して内部のフレキシブルフラットケーブル（ＦＦＣ）２を露出させた状態を示す斜視図である。この図１及び図２では、スライドドアが閉じた状態にあるが、スライドドアを開けると第２接続部１Ｂが図面上左手方向に移動することとなり、ケーブルプロテクタ１の折り曲げ個所が順次変化していくこととなる。前記第１接続部１Ａは、ＦＦＣ２を挟み込んで固定している構造であり、スライドドアレール奥に固定される。第２接続部１Ｂは、ＦＦＣ２を挟み込んで固定している構造であり、スライドドア、ロアアームに固定される。
【００１０】
図３及び図４は、ケーブルプロテクタ１の斜視図並びにＡ−Ａ´線断面を示し、ＦＦＣ２が挿入される通路空間３はケーブルプロテクタ１の図面上左右に貫通するように形成してあり、このケーブルプロテクタ１の通路空間３のケーブル屈曲時の内面側に当る面を曲面３Ａに形成してある。ケーブルプロテクタ１のケーブル屈曲時の内面側両側に内側に向うテーパ状の傾斜部３Ｂを形成し、外面側両側３Ｃはケーブル伸長時にケーブル（ＦＦＣ２）に直角になるように形成してある。さらにケーブルプロテクタ１の中央部分に表裏に貫通する窓４を形成してある。この窓４は、ＦＦＣ２に通電した時に発生する熱の放熱性の向上、また、ケーブルプロテクタ１の軽量化という機能を有するものである。
【００１１】
図５及び図６に示すケーブルプロテクタ１では、通路空間３を仕切壁５を設けることにより複数形成し、夫々の仕切壁５にも曲面３Ａと同様の曲面５Ａを形成してある。この実施形態では２つの通路空間３を形成し、夫々の通路空間３に２枚のＦＦＣ２を挿入する。仕切壁５を２以上設ければさらに通路空間３を増やすことができ、挿入するＦＦＣ２の枚数を増やすことができる。ＦＦＣ２を複数枚ケーブルプロテクタ１に挿入する場合、ＦＦＣ２同士が接することなく夫々が屈曲することが可能となる。この実施形態においてもケーブルプロテクタ１のケーブル屈曲時の外面側両側３Ｃをケーブル伸長時にケーブルに直角になるように形成してある。
【００１２】
前記ケーブルプロテクタ１の曲面３Ａや５Ａの曲率半径と傾斜部３Ｂの傾斜角度の形成如何によって、ＦＦＣ２は同一半径で屈曲することができ、許容屈曲回数の向上に貢献することが可能となり、耐久性も向上する。また、複数のケーブルプロテクタ１同士は従来のリンク部材のように連結しておく必要がなく、単にＦＦＣ２に対して並べて嵌め込むだけでよい。複数のＦＦＣ２を用いた場合には、仕切壁５の存在によりＦＦＣ２同士が接することがないので、放熱面積が大きくなり、放熱効果が上がり、許容電流値を上げることが可能となるものである。前記窓４も放熱効果に役立つものである。
【図面の簡単な説明】
【００１３】
【図１】全体の斜視図。
【図２】フレキシブルフラットケーブルの一部を露出させた状態の斜視図。
【図３】ケーブルプロテクタの斜視図。
【図４】図３Ａ−Ａ´線断面図。
【図５】ケーブルプロテクタの他の例を示す斜視図。
【図６】図５Ｂ−Ｂ´線断面図。
【符号の説明】
【００１４】
１    ケーブルプロテクタ
２    フレキシブルフラットケーブル（ＦＦＣ）
３    通路空間
３Ａ  曲面
３Ｂ  傾斜部
【図１】
2006240484.tif 000003
【図２】
2006240484.tif 000004
【図３】
2006240484.tif 000005
【図４】
2006240484.tif 000006
【図５】
2006240484.tif 000007
【図６】
2006240484.tif 000008